(57)【特許請求の範囲】
【請求項１】
マルチキャリア・ユーザ機器（ＵＥ）による無線通信の方法であって、
前記ＵＥのために設定されたアップリンク成分キャリアが活性化状態にある場合、前記アップリンク成分キャリアの少なくとも１つの第１の電力制御パラメータを決定することと、
前記少なくとも１つの第１の電力制御パラメータを決定した後に、前記アップリンク成分キャリアを非活性化することと、
前記アップリンク成分キャリアが非活性化状態にある場合、ダウンリンク信号の測定値に基づいて、少なくとも１つの第２の電力制御パラメータを決定することと、
前記少なくとも１つの第１の電力制御パラメータから、前記非活性化されたアップリンク成分キャリアのための直近の電力制御パラメータ値を選択することと、
前記ＵＥの電力制御調節状態を確立するために、前記選択された直近の電力制御パラメータ値と、前記少なくとも１つの第２の電力制御パラメータと、を適用することと、
前記確立された電力制御調節状態において、前記非活性化されたアップリンク成分キャリアを再活性化することと、を備え、
前記アップリンク成分キャリアのための送信電力は、少なくとも前記第１の電力制御パラメータから計算され、
前記直近の電力制御パラメータ値は、前記非活性化されたアップリンク成分キャリアのための再活性化コマンドに応じて選択される方法。
【請求項２】
前記少なくとも１つの第１の電力制御パラメータの値は、前記アップリンク成分キャリアを非活性化した後にゼロに設定される、請求項１に記載の方法。
【請求項３】
前記選択された直近の電力制御パラメータ値は、前記アップリンク成分キャリアの非活性化に先立つ、前記少なくとも１つの第１の電力制御パラメータのための最後の値である、請求項１に記載の方法。
【請求項４】
前記選択された直近の電力制御パラメータ値は、前記少なくとも１つの第１の電力制御パラメータの低減された値である、請求項１に記載の方法。
【請求項５】
前記電力制御調節状態は、前記アップリンク成分キャリアが非活性化される前の、前記アップリンク成分キャリアの最後の電力制御調節状態、前記アップリンク成分キャリアが非活性化される前の、前記アップリンク成分キャリアの最後の電力制御調節状態に基づく電力制御調節状態、または前記アップリンク成分キャリアの以前の電力制御調節状態とは無関係な電力制御調節状態、を少なくとも備える、請求項１に記載の方法。
【請求項６】
前記直近の電力制御パラメータ値は、前記アップリンク成分キャリアの非活性化の持続期間に基づいて選択される、請求項１に記載の方法。
【請求項７】
前記アップリンク成分キャリアは、二次成分キャリアである、請求項１に記載の方法。
【請求項８】
前記少なくとも１つの第１の電力制御パラメータは、アップリンク・データ・チャネル、アップリンク制御チャネル、またはアップリンク基準信号のためである、請求項１に記載の方法。
【請求項９】
前記非活性化されたアップリンク成分キャリアで、サウンディング基準信号（ＳＲＳ）を定期的に送信すること、をさらに備える請求項１に記載の方法。
【請求項１０】
前記測定値は、外部ループ電力制御のための電力制御調節状態を設定することを可能にする定期的な測定値である、請求項１に記載の方法。
【請求項１１】
マルチキャリア・ユーザ機器（ＵＥ）であって、
前記ＵＥのために設定されたアップリンク成分キャリアが活性化状態にある場合、前記アップリンク成分キャリアの少なくとも１つの第１の電力制御パラメータを決定する手段と、
前記少なくとも１つの第１の電力制御パラメータを決定した後に、前記アップリンク成分キャリアを非活性化する手段と、
前記アップリンク成分キャリアが非活性化状態にある場合、ダウンリンク信号の測定値に基づいて、少なくとも１つの第２の電力制御パラメータを決定する手段と、
前記少なくとも１つの第１の電力制御パラメータから、前記非活性化されたアップリンク成分キャリアのための直近の電力制御パラメータ値を選択する手段と、
前記ＵＥの電力制御調節状態を確立するために、前記選択された直近の電力制御パラメータ値と、前記少なくとも１つの第２の電力制御パラメータと、を適用する手段と、
前記確立された電力制御調節状態において、前記非活性化されたアップリンク成分キャリアを再活性化する手段と、を備え、
前記アップリンク成分キャリアのための送信電力は、少なくとも前記第１の電力制御パラメータから計算され、
前記直近の電力制御パラメータ値は、前記非活性化されたアップリンク成分キャリアのための再活性化コマンドに応じて選択されるユーザ機器。
【請求項１２】
前記少なくとも１つの第１の電力制御パラメータの値は、前記アップリンク成分キャリアを非活性化した後にゼロに設定される、請求項１１に記載のユーザ機器。
【請求項１３】
前記選択された直近の電力制御パラメータ値は、前記アップリンク成分キャリアの非活性化に先立つ、前記少なくとも１つの第１の電力制御パラメータのための最後の値である、請求項１１に記載のユーザ機器。
【請求項１４】
前記選択された直近の電力制御パラメータ値は、前記少なくとも１つの第１の電力制御パラメータの低減された値である、請求項１１に記載のユーザ機器。
【請求項１５】
前記電力制御調節状態は、前記アップリンク成分キャリアが非活性化される前の、前記アップリンク成分キャリアの最後の電力制御調節状態、前記アップリンク成分キャリアが非活性化される前の、前記アップリンク成分キャリアの最後の電力制御調節状態に基づく電力制御調節状態、または前記アップリンク成分キャリアの以前の電力制御調節状態とは無関係な電力制御調節状態、を少なくとも備える、請求項１１に記載のユーザ機器。
【請求項１６】
前記直近の電力制御パラメータ値は、前記アップリンク成分キャリアの非活性化の持続期間に基づいて選択される、請求項１１に記載のユーザ機器。
【請求項１７】
前記アップリンク成分キャリアは、二次成分キャリアである、請求項１１に記載のユーザ機器。
【請求項１８】
前記少なくとも１つの第１の電力制御パラメータは、アップリンク・データ・チャネル、アップリンク制御チャネル、またはアップリンク基準信号のためである、請求項１１に記載のユーザ機器。
【請求項１９】
前記非活性化されたアップリンク成分キャリアで、サウンディング基準信号（ＳＲＳ）を定期的に送信する手段、をさらに備える請求項１１に記載のユーザ機器。
【請求項２０】
前記測定値は、外部ループ電力制御のための電力制御調節状態を設定することを可能にする定期的な測定値である、請求項１１に記載のユーザ機器。
【請求項２１】
マルチキャリア・ユーザ機器（ＵＥ）のためのコンピュータ読取可能な記憶媒体であって、
記録された非一時的なプログラム・コードを有する非一時的なコンピュータ読取可能な記憶媒体を備え、
前記プログラム・コードは、
前記ＵＥのために設定されたアップリンク成分キャリアが活性化状態にある場合、前記アップリンク成分キャリアの少なくとも１つの第１の電力制御パラメータを決定するためのプログラム・コードと、
前記少なくとも１つの第１の電力制御パラメータを決定した後に、前記アップリンク成分キャリアを非活性化するためのプログラム・コードと、
前記アップリンク成分キャリアが非活性化状態にある場合、ダウンリンク信号の測定値に基づいて、少なくとも１つの第２の電力制御パラメータを決定するためのプログラム・コードと、
前記少なくとも１つの第１の電力制御パラメータから、前記非活性化されたアップリンク成分キャリアのための直近の電力制御パラメータ値を選択するためのプログラム・コードと、
前記ＵＥの電力制御調節状態を確立するために、前記選択された直近の電力制御パラメータ値と、前記少なくとも１つの第２の電力制御パラメータと、を適用するためのプログラム・コードと、
前記確立された電力制御調節状態において、前記非活性化されたアップリンク成分キャリアを再活性化するためのプログラム・コードとを備え、
前記アップリンク成分キャリアのための送信電力は、少なくとも前記第１の電力制御パラメータから計算され、
前記直近の電力制御パラメータ値は、前記非活性化されたアップリンク成分キャリアのための再活性化コマンドに応じて選択される、コンピュータ読取可能な記憶媒体。
【請求項２２】
前記少なくとも１つの第１の電力制御パラメータの値は、前記アップリンク成分キャリアを非活性化した後にゼロに設定される、請求項２１に記載のコンピュータ読取可能な記憶媒体。
【請求項２３】
前記選択された直近の電力制御パラメータ値は、前記アップリンク成分キャリアの非活性化に先立つ、前記少なくとも１つの第１の電力制御パラメータのための最後の値である、請求項２１に記載のコンピュータ読取可能な記憶媒体。
【請求項２４】
前記選択された直近の電力制御パラメータ値は、前記少なくとも１つの第１の電力制御パラメータの低減された値である、請求項２１に記載のコンピュータ読取可能な記憶媒体。
【請求項２５】
前記電力制御調節状態は、前記アップリンク成分キャリアが非活性化される前の、前記アップリンク成分キャリアの最後の電力制御調節状態、前記アップリンク成分キャリアが非活性化される前の、前記アップリンク成分キャリアの最後の電力制御調節状態に基づく電力制御調節状態、または前記アップリンク成分キャリアの以前の電力制御調節状態とは無関係な電力制御調節状態、を少なくとも備える、請求項２１に記載のコンピュータ読取可能な記憶媒体。
【請求項２６】
前記直近の電力制御パラメータ値は、前記アップリンク成分キャリアの非活性化の持続期間に基づいて選択される、請求項２１に記載のコンピュータ読取可能な記憶媒体。
【請求項２７】
前記アップリンク成分キャリアは、二次成分キャリアである、請求項２１に記載のコンピュータ読取可能な記憶媒体。
【請求項２８】
前記少なくとも１つの第１の電力制御パラメータは、アップリンク・データ・チャネル、アップリンク制御チャネル、またはアップリンク基準信号のためである、請求項２１に記載のコンピュータ読取可能な記憶媒体。
【請求項２９】
前記非活性化されたアップリンク成分キャリアで、サウンディング基準信号（ＳＲＳ）を定期的に送信するためのプログラム・コードを更に備える、請求項２１に記載のコンピュータ読取可能な記憶媒体。
【請求項３０】
前記測定値は、外部ループ電力制御のための電力制御調節状態を設定することを可能にする定期的な測定値である、請求項２１に記載のコンピュータ読取可能な記憶媒体。
【請求項３１】
マルチキャリア・ユーザ機器（ＵＥ）であって、
メモリと、
前記ＵＥのために設定されたアップリンク成分キャリアが活性化状態にある場合、前記アップリンク成分キャリアの少なくとも１つの第１の電力制御パラメータを決定し、
前記少なくとも１つの第１の電力制御パラメータを決定した後に、前記アップリンク成分キャリアを非活性化し、
前記アップリンク成分キャリアが非活性化状態にある場合、ダウンリンク信号の測定値に基づいて、少なくとも１つの第２の電力制御パラメータを決定し、
前記少なくとも１つの第１の電力制御パラメータから、前記非活性化されたアップリンク成分キャリアのための直近の電力制御パラメータ値を選択し、
前記ＵＥの電力制御調節状態を確立するために、前記選択された直近の電力制御パラメータ値と、前記少なくとも１つの第２の電力制御パラメータと、を適用し、
前記確立された電力制御調節状態において、前記非活性化されたアップリンク成分キャリアを再活性化するように構成された、前記メモリに接続された少なくとも１つのプロセッサと、を備え、
前記アップリンク成分キャリアのための送信電力は、少なくとも前記第１の電力制御パラメータから計算され、
前記直近の電力制御パラメータ値は、前記非活性化されたアップリンク成分キャリアのための再活性化コマンドに応じて選択されるユーザ機器。
【請求項３２】
前記少なくとも１つの第１の電力制御パラメータの値は、前記アップリンク成分キャリアを非活性化した後にゼロに設定される、請求項３１に記載のユーザ機器。
【請求項３３】
前記選択された直近の電力制御パラメータ値は、前記アップリンク成分キャリアの非活性化に先立つ、前記少なくとも１つの第１の電力制御パラメータのための最後の値である、請求項３１に記載のユーザ機器。
【請求項３４】
前記選択された直近の電力制御パラメータ値は、前記少なくとも１つの第１の電力制御パラメータの低減された値である、請求項３１に記載のユーザ機器。
【請求項３５】
前記電力制御調節状態は、前記アップリンク成分キャリアが非活性化される前の、前記アップリンク成分キャリアの最後の電力制御調節状態、前記アップリンク成分キャリアが非活性化される前の、前記アップリンク成分キャリアの最後の電力制御調節状態に基づく電力制御調節状態、または前記アップリンク成分キャリアの以前の電力制御調節状態とは無関係な電力制御調節状態、を少なくとも備える、請求項３１に記載のユーザ機器。
【請求項３６】
前記直近の電力制御パラメータ値は、前記アップリンク成分キャリアの非活性化の持続期間に基づいて選択される、請求項３１に記載のユーザ機器。
【請求項３７】
前記アップリンク成分キャリアは、二次成分キャリアである、請求項３１に記載のユーザ機器。
【請求項３８】
前記少なくとも１つの第１の電力制御パラメータは、アップリンク・データ・チャネル、アップリンク制御チャネル、またはアップリンク基準信号のためである、請求項３１に記載のユーザ機器。
【請求項３９】
前記少なくとも１つのプロセッサはさらに、前記非活性化されたアップリンク成分キャリアで、サウンディング基準信号（ＳＲＳ）を定期的に送信するように構成された、請求項３１に記載のユーザ機器。
【請求項４０】
前記測定値は、外部ループ電力制御のための電力制御調節状態を設定することを可能にする定期的な測定値である、請求項３１に記載のユーザ機器。
【発明の詳細な説明】
【技術分野】
【０００１】
本開示の態様は、一般に、無線通信システムに関し、さらに詳しくは、キャリア・アグリゲーション（ＣＡ）コンフィギュレーションにおけるアップリンク電力制御に関する。
【背景技術】
【０００２】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００３】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉と遭遇しうる。アップリンクでは、ＵＥからの送信が、近隣の基地局と通信する別のＵＥのアップリンク送信からの、または、別の無線ＲＦ送信機からの干渉と遭遇しうる。この干渉は、ダウンリンクとアップリンクとの両方のパフォーマンスを低下させうる。
【０００４】
モバイル・ブロードバンド・アクセスに対する需要が増加し続けると、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００５】
現在の開示の態様は、マルチキャリア・ユーザ機器（ＵＥ）による無線通信の方法を提供する。この方法は、成分キャリアが活性化状態にある場合、ＵＥのために設定された成分キャリアの電力制御パラメータを決定することと、電力制御パラメータを決定した後に、成分キャリアを非活性化することと、を含む。この方法は、その後、非活性化された成分キャリアのための再活性化コマンドに応じて、決定された電力制御パラメータから、非活性化された成分キャリアのための直近の電力制御パラメータ値を選択することと、ＵＥの電力制御調節状態を確立するために、選択された電力制御パラメータ値を適用することと、を含む。この方法はさらに、確立された電力制御調節状態において、非活性化された成分キャリアを再活性化することを含む。
【０００６】
本開示の別の態様は、マルチキャリア・ユーザ機器（ＵＥ）を提供する。この装置は、成分キャリアが活性化状態にある場合、ＵＥのために設定された成分キャリアの電力制御パラメータを決定する手段と、電力制御パラメータを決定した後に、成分キャリアを非活性化する手段と、を含む。ＵＥはさらに、非活性化された成分キャリアのための再活性化コマンドに応じて、決定された電力制御パラメータから、非活性化された成分キャリアのための直近の電力制御パラメータ値を選択する手段と、ＵＥの電力制御調節状態を確立するために、選択された電力制御パラメータ値を適用する手段と、を含む。この方法はさらに、確立された電力制御調節状態において、非活性化された成分キャリアを再活性化する手段を含む。
【０００７】
本開示の別の態様は、マルチキャリア・ユーザ機器（ＵＥ）のためのコンピュータ・プログラム製品を提供する。このコンピュータ・プログラム製品は、記録されたプログラム・コードを有するコンピュータ読取可能な媒体を含む。このプログラム・コードは、成分キャリアが活性化状態にある場合、ＵＥのために設定された成分キャリアの電力制御パラメータを決定するためのプログラム・コードと、電力制御パラメータを決定した後に、成分キャリアを非活性化するためのプログラム・コードと、を含む。このプログラム・コードはまた、非活性化された成分キャリアのための再活性化コマンドに応じて、決定された電力制御パラメータから、非活性化された成分キャリアのための直近の電力制御パラメータ値を選択するためのプログラム・コードと、ＵＥの電力制御調節状態を確立するために、選択された電力制御パラメータ値を適用するためのプログラム・コードと、を含む。このプログラム・コードはさらに、確立された電力制御調節状態において、非活性化された成分キャリアを再活性化するためのプログラム・コードを含む。
【０００８】
本開示の別の態様は、マルチキャリア・ユーザ機器（ＵＥ）を提供する。ＵＥは、少なくとも１つのプロセッサと、このプロセッサに接続されたメモリとを含む。プロセッサ（単数または複数）は、成分キャリアが活性化状態にある場合、ＵＥのために設定された成分キャリアの電力制御パラメータを決定し、電力制御パラメータを決定した後に、成分キャリアを非活性化する、ように構成される。プロセッサ（単数または複数）はまた、非活性化された成分キャリアのための再活性化コマンドに応じて、決定された電力制御パラメータから、非活性化された成分キャリアのための直近の電力制御パラメータ値を選択し、ユーザ機器（ＵＥ）の電力制御調節状態を確立するために、選択された電力制御パラメータ値を適用する、ように構成される。このプロセッサ（単数または複数）はさらに、確立された電力制御調節状態において、非活性化された成分キャリアを再活性化するように構成される。
【０００９】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１０】
本開示の特徴、特性、および利点は、同一の参照符号が全体を通じて同一物を特定している図面とともに考慮された場合、以下に記載する詳細な記載からより明らかになるだろう。
【図１】図１は、マルチ・キャリア・テレコミュニケーション・システムの例を概念的に例示するブロック図である。
【図２】図２は、テレコミュニケーション・システムにおけるダウンリンク・フレーム構造の例を例示する図である。
【図３】図３は、アップリンク通信におけるフレーム構造の例を例示するブロック図である。
【図４】図４は、本開示の１つの態様にしたがって構成されたマルチキャリア基地局／ｅノードＢとＵＥとの設計を例示するブロック図である。
【図５Ａ】図５Ａは、連続的なキャリア・アグリゲーション・タイプを開示する。
【図５Ｂ】図５Ｂは、不連続なキャリア・アグリゲーション・タイプを開示する。
【図６】図６は、ＭＡＣレイヤ・データ・アグリゲーションを開示する。
【図７】図７は、マルチ・キャリア・コンフィギュレーションにおいてラジオ・リンクを制御する方法を例示するブロック図である。
【図８】図８は、本開示の１つの態様にしたがう、アップリンク電力制御の方法を例示するブロック図である。
【図９】図９は、本開示の１つの態様にしたがう、アップリンク電力制御の方法を例示するブロック図である。
【図１０】図１０は、本開示の１つの態様にしたがう、アップリンク電力制御の方法を例示するブロック図である。
【図１１】図１１は、本開示の１つの態様にしたがう、アップリンク電力制御のための構成要素を例示するブロック図である。
【発明を実施するための形態】
【００１１】
添付図面とともに以下に説明する詳細説明は、さまざまな構成の説明として意図されており、本明細書に記載された概念が実現される唯一の構成を示すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１２】
本明細書で記載された技術は、例えば、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリア周波数分割多元接続（ＳＣ−ＦＤＭＡ）ネットワーク、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ（登録商標））、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる団体からの文書に記載されている。ＣＤＭＡ２０００およびＵＭＢは、「第３世代パートナシップ計画２」（３ＧＰＰ２）と呼ばれる団体からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりに、これらはともに“ＬＴＥ／−Ａ”と称される）について記載されており、このようなＬＴＥ−Ａ用語が以下の説明の多くで使用される。
【００１３】
図１は、非活性化された成分キャリアにおける電力制御が実施される、ＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効通信範囲を提供する。３ＧＰＰでは、用語「セル」は、この用語が使用される文脈に依存して、有効通信範囲エリアにサービス提供しているｅノードＢおよび／またはｅノードＢサブシステムからなる特定の地理的有効通信範囲エリアを称しうる。
【００１４】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、無制限のアクセスに加えて、フェムト・セルとの関連付けを持つＵＥ（例えば、クローズド加入者グループ（ＣＳＧ）内のＵＥ、住宅内のユーザのためのＵＥ等）による制限付のアクセスをも提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００１５】
無線ネットワーク１００はさらに、中継局をも含みうる。中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００１６】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００１７】
無線ネットワーク１００は、同期動作または非同期動作を支援しうる。同期動作の場合、ｅノードＢは、類似のフレーム・タイミングを有し、異なるｅノードＢからの送信は、時間的にほぼ揃えられうる。非同期動作の場合、ｅノードＢは、異なるフレーム・タイミングを有し、異なるｅノードＢからの送信は、時間的に揃わない場合がある。ここに記載された技術は、同期動作あるいは非同期動作の何れかのために使用されうる。
【００１８】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００１９】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅノードＢ、ピコｅノードＢ、フェムトｅノードＢ、リレー等と通信することができうる。図１では、両矢印の実線が、ＵＥと、ダウンリンクおよび／またはアップリンクでＵＥにサービス提供するように指定されたｅノードＢであるサービス提供ｅノードＢとの間の所望の送信を示す。両矢印の破線は、ＵＥとｅノードＢとの間の干渉送信を示す。
【００２０】
図示されるように、ｅノード１１０は、複数の成分キャリア（ＣＣ）でＵＥ  １２０と通信しうる。ＣＣは、無線ネットワーク１００における通信のために使用される周波数の範囲を称し、ダウンリンクＣＣおよびアップリンクＣＣを含みうる。例えば、ｅノードＢ１００ａは、その有効通信範囲エリア内のＵＥ１２０ａへ、複数のダウンリンクＣＣで制御送信およびデータ送信を送りうる。ＵＥ１２０ａは、データ送信を受信して復号しうる。ＵＥ１２０ａは、１または複数のアップリンクＣＣで、ダウンリンク送信をアクノレッジしうる。
【００２１】
ｅノードＢ１１０は、ＵＥ１２０のために利用可能なＣＣの数を、時々変更しうる。例えば、ｅノードＢ１１０は、個々のＣＣを追加または削除することによって、ＵＥのキャリア・コンフィギュレーションを変更しうる。いくつかの実例では、ＣＣコンフィギュレーションまたは再コンフィギュレーションは、例えば、１または複数のＲＲＣメッセージをＵＥ１２０へ送信することによって、高次レイヤ・シグナリングによって達成されうる。本明細書に記載されるように、ＣＣコンフィギュレーションを変更することは、比較的遅い処理でありうるので、ｅノードＢ１１０は、代わりに、特定のＵＥ１２０による使用のためにすでに設定されたキャリアを活性化または非活性化しうる。活性化または非活性化は、ｅノードＢ１１０からのダウンリンク・コマンドによって比較的迅速に（例えば、数ミリ秒で）達成されうる。ＣＣが非活性化されている間、ＵＥ１２０は、非活性化されたＣＣのモニタリングを制限することによって、節電しうる。例えば、ＵＥ１２０は、電力制御の目的で経路喪失測定を実行する頻度を下げるか、および／または、非活性化されたＣＣに悪影響を与える電力制御コマンドのモニタリングを停止しうる。
【００２２】
ＬＴＥは、ダウンリンクで直交周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ分割されうる。例えば、サブ帯域は、１．０８ＭＨｚ（すなわち、６リソース・ブロック）をカバーし、１．２５，２．５，５，１０，１５，または２０ＭＨｚの対応するシステム帯域幅についてそれぞれ１，２，４，８，または１６のサブ帯域が存在しうる。
【００２３】
図２は、ＬＴＥにおいて使用されるダウンリンクＦＤＤ構造２００を示す。フレーム構造２００は、例えば、無線ネットワーク１００においてｅノード１１０がＵＥ１２０と通信する１つのダウンリンクＣＣに対応しうる。
【００２４】
図２に図示されるダウンリンク送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００２５】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２６】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００２７】
ｅノードＢは、ｅノードＢによって使用されるシステム帯域幅の中央の１．０８ＭＨｚでＰＳＣ、ＳＳＳ、およびＰＢＣＨを送信しうる。ｅノードＢは、これらのチャネルが送信される各シンボル期間において、システム帯域幅全体で、ＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００２８】
ＵＥは、ＰＨＩＣＨとＰＣＦＩＣＨとのために使用される特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００２９】
非活性化された成分キャリアの電力制御情報もまた、フレーム構造２００内でＵＥに提供されうる。例えば、ＵＥ１２０ｂは、ｅノードＢ１１０ｂと通信するために、２つのダウンリンクＣＣ（ＣＣ１，ＣＣ２）および１つのアップリンクＣＣを用いて設定されうる。ＣＣ１は、ＵＥ１２０ｂのための一次成分キャリア（ＰＣＣ）として指定され、ＣＣ２は、二次成分キャリア（ＳＣＣ）でありうる。ｅノードＢ１１０ｂは、ＵＥ１２０ｂへコマンドを送信し、これによって、ＵＥ１２０ｂは、ＣＣ２を非活性化する。非活性化状態にある間、ＵＥ１２０ｂは、ＣＣ２における制御チャネル送信をモニタリングすることを停止しうる。ＵＥ１２０ｂは、再活性化コマンドを受信し、この再活性化コマンドに応じて、ＣＣ２を活性化状態に移行させうる。本明細書に記載されるように、ＵＥ１２０ｂは、活性化状態にある間、ＣＣ２のための電力制御パラメータを決定し、再活性化コマンドを受信すると、ＣＣ２のための電力制御調節状態を確立し、確立された電力制御調節状態において、ＣＣ２を再活性化しうる。
【００３０】
図３は、ロング・ターム・イボリューション（ＬＴＥ）通信における典型的なアップリンク・フレーム構造３００を例示するブロック図である。フレーム構造３００は、再活性化された成分キャリアの通信において、無線ネットワーク１００において見られうる。アップリンクのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥは、連続するサブキャリアのすべてがデータ・セクション内に割り当てられるようになる。
【００３１】
ＵＥは、ｅノードＢへ制御情報を送信するために、制御セクション内にリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和された単一キャリア動作において、ＵＬリソースで並列なチャネルが送信されうる。例えば、制御およびデータ・チャネル、並列制御チャネル、および並列データ・チャネルが、ＵＥによって送信されうる。
【００３２】
ＰＳＣ（一次同期キャリア）、ＳＳＣ（二次同期キャリア）、ＣＲＳ（共通基準信号）、ＰＢＣＨ、ＰＵＣＣＨ、ＰＵＳＣＨ、および、ＬＴＥ／−Ａで使用される他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３３】
図４は、後述するように、非活性化された成分キャリアで電力制御を実施しうる基地局／ｅノードＢ１１０およびＵＥ１２０の設計のブロック図を示す。ｅノードＢおよびＵＥは、図１におけるＵＥのうちの１つ、および、基地局／ｅノードＢのうちの１つでありうる。例えば、基地局１１０は、図１におけるマクロｅノードＢ１１０ｂでありうる。そして、ＵＥ１２０は、ＵＥ１２０ｂでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００３４】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データおよび制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、データ・シンボル、制御シンボル、および／または基準シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔを介してそれぞれ送信されうる。
【００３５】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００３６】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信されうる。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得されうる。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００３７】
コントローラ／プロセッサ４４０，４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、使用方法フロー・チャート図８−１０に例示された機能ブロック、および／または、本明細書に記載された技術のためのその他の処理の実行または実行の指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００３８】
ＬＴＥアドバンストは、各方向における送信のために使用される、最大で合計１００ＭＨｚのキャリア・アグリゲーション（５成分のキャリア）に割り当てられた最大２０ＭＨｚ帯域幅のスペクトルを用いる。一般に、アップリンクではダウンリンクよりも少ないトラフィックしか送信されないので、アップリンク・スペクトル割当は、ダウンリンク・スペクトル割当よりも小さくなりうる。例えば、２０ＭＨｚがアップリンクに割り当てられた場合、ダウンリンクは１００ＭＨｚを割り当てられうる。これらの非対称な割当は、スペクトルを節約し、ブロードバンド加入者による一般に非対称な帯域幅利用に良く適合する。
【００３９】
ＬＴＥアドバンスト・モバイル・システムの場合、キャリア・アグリゲーション（ＣＡ）方法の２つのタイプ、すなわち、非活性化された成分キャリアにおける電力制御が実施されうる連続的なＣＡおよび不連続なＣＡが使用されうる。これらは図５Ａおよび図５Ｂに例示されている。利用可能な複数の成分キャリアが、周波数帯域に沿って分離されている場合、不連続なＣＡが生じる（図５Ｂ）。一方、利用可能な複数の成分キャリアが、互いに隣接している場合、連続的なＣＡが生じる（図５Ａ）。ＬＴＥアドバンストＵＥの１つのユニットにサービス提供するために、不連続なＣＡと連続的なＣＡとの両方が、複数のＬＴＥ／成分キャリアをアグリゲートする。
【００４０】
ＬＴＥアドバンストＵＥでは、不連続なＣＡを用いて、複数のＲＦ受信ユニットおよび複数のＦＦＴが配置されうる。なぜなら、これらキャリアは、周波数帯域に沿って分離されているからである。不連続なＣＡは、分離された複数のキャリアによるデータ送信を、広い周波数範囲にわたってサポートするので、伝搬経路喪失特性、ドップラ・シフト特性、およびその他のラジオ・チャネル特性は、異なる周波数帯域において実質的に変動しうる。
【００４１】
したがって、不連続なＣＡアプローチにおけるブロードバンド・データ送信をサポートするために、異なる成分キャリアのための符号化、変調、および送信電力を適応的に調節するための方法が使用されうる。例えば、エンハンスト・ノードＢ（ｅノードＢ）が、各成分キャリアにおいて固定された送信電力を有するＬＴＥアドバンスト・システムでは、各成分キャリアの有効な通信範囲またはサポート可能な変調および符号化は異なりうる。
【００４２】
図６は、ＩＭＴアドバンスト・システムのために、媒体アクセス制御（ＭＡＣ）レイヤにおいて、異なる成分キャリアからの送信ブロック（ＴＢ）をアグリゲートすることを例示する。ここでは、非活性化された成分キャリアで電力制御が実施されうる。ＭＡＣレイヤ・データ・アグリゲーションでは、各成分キャリアは、ＭＡＣレイヤに、自身の独立したハイブリッド自動反復要求（ＨＡＲＱ）エンティティと、物理レイヤに、自身の送信構成パラメータ（例えば、送信電力、変調および符号化スキーム、および複数のアンテナ構成）とを有する。同様に、物理レイヤには、各成分キャリアのために、１つのＨＡＲＱエンティティが提供される。
【００４３】
一般に、複数の成分キャリアのための制御チャネル・シグナリングを展開するために、３つの異なるアプローチが存在する。第１のアプローチは、ＬＴＥシステムにおける制御構造を若干修正することを含む。ここでは、各成分キャリアは、自身の符号化制御チャネルを与えられる。
【００４４】
第２の方法は、異なる成分キャリアの制御チャネルを統合的に符号化することと、これら制御チャネルを、専用の成分キャリア（例えば、一次成分キャリア）内に配置することと、を含む。複数の成分キャリアのための制御情報は、この専用の制御チャネルにおけるシグナリング・コンテンツとして統合されるだろう。この結果、ＣＡにおけるシグナリング・オーバヘッドが低減されながら、ＬＴＥシステムにおける制御チャネル構造との後方互換性が維持される。
【００４５】
第３のアプローチでは、異なる成分キャリアのための複数の制御チャネルが、統合的に符号化され、その後、第３のＣＡ方法によって生成された周波数帯域全体で送信される。このアプローチは、ＵＥ側における高い電力消費を犠牲にして、制御チャネルにおける高い符号化パフォーマンスおよび低いシグナリング・オーバヘッドを提供する。しかしながら、この方法は、ＬＴＥシステムと互換性をもたない。
【００４６】
本明細書に記載されるように、（例えば無線システム１００のような）マルチキャリア・システムで動作するＵＥは、「一次成分キャリア」（ＰＣＣ）と称されるものと同じキャリアにおける制御機能およびフィードバック機能のような、複数のキャリアのある機能をアグリゲートするように構成されうる。サポートのために一次成分キャリアに依存する残りのキャリアは、関連付けられた二次成分キャリアと称される（ＳＣＣ）。例えば、ＵＥは、例えば、オプションの専用チャネル（ＤＣＨ）、非スケジュール許可、物理アップリンク制御チャネル（ＰＵＣＣＨ）、および／または、物理ダウンリンク制御チャネル（ＰＤＣＣＨ）によって提供されるような制御機能をアグリゲートしうる。シグナリングおよびペイロードは、ｅノードＢによるＵＥへのダウンリンクと、ＵＥによるｅノードＢへのアップリンクとの両方で送信されうる。
【００４７】
いくつかの例では、複数の一次キャリアが存在しうる。さらに、二次キャリアは、例えば、ＬＴＥ  ＲＲＣプロトコルのための３ＧＰＰ技術仕様３６．３３１のような、レイヤ２手順およびレイヤ３手順であるＲＬＦ手順および物理チャネル確立を含むＵＥの基本動作に悪影響を与えることなく追加または削除されうる。
【００４８】
図７は、一例にしたがって、物理チャネルをグループ化することによって、非活性された成分キャリアにおいて電力制御が実施されうる、マルチキャリア無線通信システムにおいてラジオ・リンクを制御するための方法７００を例示する。この方法７００は、図１に示されるように、例えば、基地局１１０によって実行されうる。この方法は、ブロック７０５において、ユーザ機器のために設定された成分キャリアのセットにおける少なくとも２つの成分キャリアからの制御機能をアグリゲートすることを含む。次に、ブロック７１０において、指定された一次キャリアと、各二次キャリアとのための通信リンクが確立される。その後、通信は、ブロック７１５において、一次キャリアに基づいて制御される。
【００４９】
前述したように、無線通信ネットワークは、ｅＮＢとＵＥとの間のアップリンク通信およびダウンリンク通信が、一次成分キャリアおよび１または複数の二次成分キャリアで実行されるキャリア・アグリゲーション（ＣＡ）のために構成されうる。一次成分キャリアは、しばしば「ＰＣｅｌｌ」と称され、二次成分キャリアは、しばしば「ＳＣｅｌｌ」と称される。特定の二次成分キャリアは、例えば、ＵＥにおけるバッテリ電力を節約するために、活性化または非活性化されうる。一次成分キャリアは、活性化／非活性化考慮を被らないように、非活性化されない。
【００５０】
ダウンリンク２次成分キャリアが非活性化された場合、ＵＥは、非活性化された成分キャリアに対応する物理ダウンリンク共有チャネル（ＰＤＳＣＨ）または物理ダウンリンク制御チャネル（ＰＤＣＣＨ）を受信しない。ＵＥはさらに、チャネル品質インジケータ（ＣＡＩ）測定を停止（または制限）しうるか、または、非活性化された成分キャリアのためＣＱＩレポートを送信しうる。
【００５１】
二次成分キャリアは、明示的な活性化を必要としない場合がありうる。なぜなら、対応する物理ダウンリンク制御チャネルにおいて送信がスケジュールされた場合、ＵＥは、常に、何れかの二次成分キャリアの物理アップリンク共有チャネルで送信できなくてはならないからである。
【００５２】
二次成分キャリアを活性化および非活性化するためのメカニズムは、媒体アクセス制御（ＭＡＣ）制御要素タイマと非活性化タイマとの組み合わせに基づきうる。ＵＥは、例えば図４に図示されるように、ダウンリンク・サブフレームで、基地局から媒体アクセス制御（ＭＡＣ）レベル制御要素を受信する。ＭＡＣ制御要素は、二次成分キャリアのダウリンク活性化および非活性化のためのビットマップを伝送しうる。このビットマップでは、１に設定されたビットは、対応する二次成分キャリアの活性化を示し、０に設定されたビットは、対応する二次成分キャリアの非活性化を示しうる。このようなビットマップを用いることによって、二次成分キャリアが個別に活性化および非活性化されうる。また、単一の活性化／非活性化コマンドが、二次成分キャリアのサブセットを活性化／非活性化しうる。
【００５３】
ＵＥはさらに、各二次成分キャリアの非活性化タイマを維持しうる。基地局は、ラジオ・リソース制御（ＲＲＣ）メッセージングによって、各ＵＥのための非活性化タイマの期間を設定しうる。特定の二次成分キャリアの非活性化タイマは、二次成分キャリアが活性化された場合、または、二次成分キャリアの物理ダウンリンク制御チャネルが、何れかの成分キャリアのためのアップリンク許可またはダウンリンク割当を示す場合、起動または再起動されうる。アップリンク許可またはダウンリンク割当は、例えば、第１の送信または再送信で示されうる。特定の二次成分キャリアの非活性化タイマはまた、スケジューリング・ダウンリンク成分キャリアにおける物理ダウンリンク制御チャネルが、二次成分キャリアのダウンリンク割当を示す場合に起動または再起動されうる。
【００５４】
ＵＥが、移動制御情報無しで再設定された場合、サービス提供している成分キャリアのセットに追加された二次成分キャリアが最初に非活性化されうる。サービス提供しているセルのセットに残っている二次成分キャリアは、変更されていないか、または、再設定されたかに関わらず、活性化状態を変更しない。ＵＥが、例えば、ハンドオーバ中に、移動制御情報を用いて再設定された場合、二次成分キャリアが非活性化されうる。
【００５５】
ダウンリンク二次成分キャリアが活性化された場合、ＵＥ設定によって定義されたように、制御サンプルおよびデータ・サンプルがその成分キャリアのためにバッファされ、割当のための対応する探索スペースが、ＵＥによってモニタリングされる。ＵＥは、活性化された二次成分キャリアでチャネル品質インジケータ（ＣＱＩ）測定を実行し、設定されたアップリンク・リソースで、チャネル品質インジケータ・レポートを送信する。
【００５６】
ダウンリンク二次成分キャリアが活性化された場合、活性化された成分キャリアの数と、その送信モードとに対応するマルチビット・アクノレッジメント／否定的アクノレッジメント（ＡＣＫ／ＮＡＣＫ）フォーマットが、アップリンクで利用されうる。例えば、３つの成分キャリアが活性化され、ＵＥが複数入力複数出力（ＭＩＭＯ）モードにないのであれば、３つのＡＣＫ／ＮＡＣＫビットが使用されうる。すなわち、１つのＡＣＫ／ＮＡＣＫビットが、活性化された各キャリアのために使用される。ＵＥが複数入力複数出力モードにある場合、２つのＡＣＫ／ＮＡＣＫビットが、活性化された各キャリアのために使用されうる。対応するアップリンクの構成にしたがって、サウンディング基準信号（ＳＲＳ）も送信されうる。
【００５７】
ダウンリンク二次成分キャリアが非活性化された場合、ＵＥは、非活性化された成分キャリアの物理ダウンリンク共有チャネルおよび物理ダウンリンク制御チャネルのモニタリングおよびバッファリングを中止しうる。ＵＥはさらに、非活性化された成分キャリアのチャネル品質インジケータ・レポートの送信またはチャネル品質インジケータ（ＣＱＩ）の測定を制限しうる。非活性化されたダウンリンク成分キャリアのチャネル品質レポート・フォードバックを提供するように設定されたリソースは、利用されないままである。
【００５８】
アップリンク成分キャリアのＵＥ送信電力の設定は、アップリンク成分キャリアの初期設定時に、ｅノードＢからの電力制御コマンドで指定され、例えば、チャネル条件に応じて調節されうる。アップリンク成分キャリアのためにｅノードＢによって指定された電力制御パラメータが、ＵＥによって格納され、ＵＥがアップリンク成分キャリアで送信する場合には常に、電力を制御するために使用される。ＵＥがアップリンク成分キャリアのために調節されるようにチャネル条件が変化した場合、ｅノードＢは、新たな電力制御コマンドを送信することによって、適切な調節を指定する。
【００５９】
成分キャリアが活性化状態にある場合、ＵＥは、新たな電力制御パラメータを受信して格納しうる。そして、これら新たなパラメータが、ｅノードＢから受信されるや否や、活性化したアップリンク成分キャリアでの送信を制御するために、これら新たなパラメータの使用を開始しうる。ｅノードＢは、チャネル条件が変化した場合に、新たな電力制御コマンドを送信するので、ＵＥによって格納された電力制御パラメータは、非活性化されていない成分キャリアでの後の送信のために適切でなければならない。しかしながら、アップリンク成分キャリアが非活性化された場合、ＵＥは、非活性化された成分キャリアで送信せず、ｅノードＢは、非活性化された成分キャリアのためのチャネル条件を決定することができない場合がありうる。さらに、ＵＥは、非活性化状態にある間、成分キャリアのＰＤＣＣＨおよびＰＤＳＣＨをモニタリングすることを中止しているかもしれないので、適切な電力制御コマンドを受信することなく、かなりの時間が経過しうる。
【００６０】
非活性化された成分キャリアの再活性化は、比較的単純であり、例えば、再活性化されたＣＣの初期電力制御状態を確立することのような、コンフィギュレーション・ステップを含まない低オーバヘッド手順である。非活性化された成分キャリアが再活性化された場合、成分キャリアが非活性化されている間にチャネル条件が変化した場合であっても、以前に格納された電力制御パラメータは更新されていないであろう。その結果、非活性化され再活性化されたアップリンク成分キャリアのためのＵＥの送信電力制御設定は、チャネル条件のために適切ではない場合がありうる。これは、例えば、ＵＥ送信電力があまりに高く設定されており、他の無線通信と干渉しうるのであれば、問題となりうる。
【００６１】
本開示によれば、成分キャリアが再活性化された場合に、ＵＥが適用する初期送信電力設定が選択される。１つの態様では、成分キャリアが非活性化された場合に、初期電力設定が決定され、成分キャリアが再活性化されると、ＵＥによって使用されうる。例えば、アップリンク成分キャリアが非活性化された場合、アップリンク成分キャリアの電力制御状態を確立するための電力制御パラメータがゼロに設定されうる。この例では、再活性化時のＣＣの電力制御状態は、成分キャリアが非活性化された場合に使用されていた電力制御設定に基づかない。そうではなく、ＵＥは、再活性化時に、電力制御パラメータに応じて、以前の電力制御情報を捨て、新たに始める。ＵＥは、例えば、外部ループ電力制御を用いることのように、ダウンリンク受信電力に基づく電力で、再活性化されたＣＣでの送信を開始しうる。成分キャリアが再活性化された後、ＵＥはさらに、基地局から電力制御信号を受信しうる。このアプローチは、例えば、成分キャリアのチャネル条件が変化しやすくなるであろう長い非活性化期間後に適切となりうる。
【００６２】
別の態様では、アップリンク成分キャリアにおける送信電力を設定するための電力制御パラメータは、成分キャリアが非活性化された場合、その現在値に据え置かれる。再活性化されると、ＵＥは、成分キャリアが非活性化された場合に使用されていた電力制御設定を用いて、成分キャリアの電力制御調節状態を確立しうる。このアプローチは、例えば、成分キャリアのチャネル条件が実質的に変更されることがないであろう短い非活性化期間後に適切となりうる。
【００６３】
別の態様では、ＵＥは、初期値から、予め定められたレートで、非活性化後に、アップリンク成分キャリアの電力制御パラメータの値を低減しうる。この初期値は、非活性化された場合に成分キャリアのために使用されていたものと同じ設定でありうる。このように、電力制御状態は、再活性化されると、非活性化期間が短い場合には、プレ非活性化状態に一致し、例えば、より長い非活性化期間の場合、外部ループに基づく電力状態に向かって下がるだろう。
【００６４】
図８は、マルチキャリアＵＥ１２０のアップリンク成分キャリアの再活性化時に初期電力を制御する方法を例示する。前述したように、非活性化された成分キャリアの電力制御が、本開示の態様にしたがって実施されうる。ブロック８０２では、成分キャリアが活性化状態にある場合に、少なくとも１つの成分キャリアのために、少なくとも１つの電力制御パラメータが決定される。ブロック８０４では、電力制御パラメータ（単数または複数）が決定された後に、成分キャリアが非活性化される。ブロック８０６では、再活性化コマンドに応じて、直近の電力制御パラメータ（単数または複数）が、非活性化された成分キャリアのために選択される。ブロック８０８では、ＵＥの電力制御調節を確立するために、選択されたパラメータ（単数または複数）が適用される。ブロック８１０では、確立された電力制御調節状態において、成分キャリアが再活性化される。
【００６５】
本開示の態様にしたがって、ＵＥは、アップリンクでの開ループ電力制御調節を実行するために、成分キャリアの再活性化のほぼ直後に、外部ループ測定を実行することを開始しうる。別の態様によれば、ＵＥは、非活性化された期間中でさえも、低いデューティ・サイクルの定期的な測定を実行しうる。これによって、ＵＥは、次に送信する必要のある場合、ダウンリンクで収集される後の測定値を待つのではなく、最新の測定値に基づいて送信することができる。
【００６６】
非活性化された成分キャリアの電力制御の別の態様が、図９を参照して説明される。ここでは、非活性化された成分キャリアにおける電力制御が実施され、ブロック９０２において、サウンディング基準信号（ＳＲＳ）に基づく閉ループ電力制御が、非活性化された成分キャリアでイネーブルされうる。アップリンク成分キャリアを再活性化するためのこのような閉ループ電力制御スキームは、グループ電力制御信号をブロードキャストすることを含みうる。ブロック９０４では、例えば、システム情報ブロック２（ＳＩＢ２）がリンクされたダウンリンク成分キャリアから、または、キャリア・インジケータ・フィールド（ＣＩＦ）がリンクされたダウンリンク成分キャリアから、グループ電力コマンドが送信されうる。
【００６７】
ＳＩＢ２ダウンリンク・コマンドは、マルキャリア・システムにおいて、例えば、ダウンリンク・キャリアおよび特定のアップリンク・キャリアを、互いに関連付けるために使用されうる。ダウンリンク・キャリアが非活性化された場合、ＵＥは、対応するアップリンク・キャリアのための許可を受信できない場合がありうる。ＳＩＢ２によって、アップリンク・キャリアは、例えば、異なるダウンリンク・キャリアから情報を受信し、グループ送信に含まれるキャリアを区別できるようになる。
【００６８】
本開示の別の態様が、図１０を参照して記載される。ブロック１００２では、ＵＥを、非活性化されたアップリンク成分キャリアで低電力信号を送信できるようにすることによって、非活性化された成分キャリアにおける電力制御が、閉ループ電力制御で実施されうる。その後、ブロック１００４において、ＵＥは、非活性化された成分キャリアのための電力制御パラメータを受信しうる。その後、ブロック１００６において、ＵＥは、アップリンク成分キャリアが再活性化されると、受信した電力制御パラメータを適用しうる。この態様は、活性化された成分キャリアに電力制御が一般に適用されるのと同じ方式で、非活性化された成分キャリアのための閉ループ電力制御を提供する。
【００６９】
本開示の態様に従って、ＵＥの電力制御調節状態を確立するために適用されうる電力制御パラメータの例は、技術仕様３ＧＰＰ  ＴＳ  ３６．２１３で指定されているアップリンク電力制御式に適用されうるパラメータｆ（ｉ）である。
【００７０】
１つの構成では、マルチキャリアＵＥ１２０は、成分キャリアが活性化状態にある場合、ＵＥのために設定された成分キャリアの電力制御パラメータを蓄積する手段を含む。１つの態様では、図４に示すように、成分キャリアが活性化状態にある場合に、成分キャリアのための少なくとも１つの電力制御パラメータを決定する手段は、決定する手段によって記載された機能を実行するように構成されたコントローラ・プロセッサ４８０および／またはメモリ４８２でありうる。ｅノードＢ１１０はまた、電力制御パラメータを決定した後に、成分キャリアを非活性化する手段を含むように構成される。１つの態様では、電力制御パラメータを蓄積した後に成分キャリアを非活性化する手段は、非活性化する手段によって記載された機能を実行するように構成されたコントローラ・プロセッサ４８０および／またはメモリ４８２でありうる。
【００７１】
１つの構成では、ＵＥ１２０はまた、非活性化された成分キャリアのための再活性化コマンドに応じて、非活性化された成分キャリアのための直近の電力制御パラメータ値を選択する手段を有する。１つの態様では、非活性化された成分キャリアのために直近の電力制御パラメータ値を選択する手段は、選択する手段によって記載された機能を実行するように構成されたコントローラ・プロセッサ４８０および／またはメモリ４８２でありうる。
【００７２】
１つの構成では、ＵＥ１２０は、ＵＥの電力制御調節状態を確立するために、電力制御パラメータ値（単数または複数）を適用する手段を含む。１つの態様では、選択された電力制御パラメータ値を適用する手段は、選択された電力制御パラメータ値を適用する手段によって記載された機能を実行するように構成されたコントローラ・プロセッサ４８０および／またはメモリ４８２でありうる。
【００７３】
１つの構成では、ＵＥ１２０はまた、確立された電力制御調節状態において、非活性化された成分キャリアを再活性化する手段を含む。１つの態様では、確立された電力制御調節状態において、非活性化された成分キャリアを再活性化する手段は、再活性化する手段によって記載された機能を実行するように構成されたコントローラ・プロセッサ４８０および／またはメモリ４８２でありうる。
【００７４】
図１１は、非活性化された成分キャリアにおいて電力制御が実施される図４のＵＥ１２０のようなＵＥのための装置１１００の設計を示す。ＵＥ１１００は、成分キャリアが活性化状態にある場合、ＵＥのために設定された成分キャリアの少なくとも１つの電力制御パラメータを決定するモジュール１１１０を含む。ＵＥはまた、電力制御パラメータ（単数または複数）を決定した後、成分キャリアを非活性化するモジュール１１２０をも含む。ＵＥはまた、非活性化された成分キャリアのための再活性化コマンドに応じて、決定された電力制御パラメータ（単数または複数）から、非活性化された成分キャリアのための直近の電力制御パラメータ値を選択するモジュール１１３０を含む。ＵＥはまた、ＵＥの電力制御調節状態を確立するために、選択された電力制御パラメータ値を適用するモジュール１１４０を含む。ＵＥはまた、確立された電力制御調節状態において、非活性化された成分キャリアを再活性化するモジュール１１５０を含む。図１１におけるモジュールは、プロセッサ、電子デバイス、ハードウェア・デバイス、電子部品、論理回路、メモリ、ソフトウェア・コード、ファームウェア・コード等、またはこれらの任意の組み合わせでありうる。
【００７５】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７６】
本明細書の開示に関連して記載されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７７】
本明細書の開示に関連して説明された方法またはアルゴリズムのステップは、ハードウェアで直接的に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７８】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。例えば、同軸ケーブル、光ファイバ・ケーブル、ツイスト・ペア、デジタル加入者線（ＤＳＬ）を使用して、ウェブサイト、サーバ、あるいは他の遠隔ソースからソフトウェアが送信される場合、同軸ケーブル、光ファイバ・ケーブル、ツイスト・ペア、またはＤＳＬは、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００７９】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
なお、以下に、出願当初の特許請求の範囲に記載された発明を付記する。
［発明１］
マルチキャリア・ユーザ機器（ＵＥ）による無線通信の方法であって、
前記ＵＥのために設定された成分キャリアが活性化状態にある場合、前記成分キャリアの少なくとも１つの電力制御パラメータを決定することと、
前記少なくとも１つの電力制御パラメータを決定した後に、前記成分キャリアを非活性化することと、
前記非活性化された成分キャリアのための再活性化コマンドに応じて、前記少なくとも１つの電力制御パラメータから、前記非活性化された成分キャリアのための直近の電力制御パラメータ値を選択することと、
前記ＵＥの電力制御調節状態を確立するために、前記選択された電力制御パラメータ値を適用することと、
前記確立された電力制御調節状態において、前記非活性化された成分キャリアを再活性化することと、を備える方法。
［発明２］
前記直近の電力制御パラメータ値を選択することは、前記少なくとも１つの電力制御パラメータ値をゼロに設定することを備える、発明１に記載の方法。
［発明３］
前記直近の電力制御パラメータ値を選択することは、前記少なくとも１つの電力制御パラメータ値を、前記成分キャリアの非活性時に適用されていた最後の電力制御パラメータ値へ保留することを備える、発明１に記載の方法。
［発明４］
前記直近の電力制御パラメータ値を選択することは、前記少なくとも１つの電力制御パラメータの現在の値を、非活性化期間中に、設定されたスルー・レートで、前記現在の値から、インクリメント的に低減することを備える、発明１に記載の方法。
［発明５］
前記電力制御調節状態は、前記成分キャリアが非活性化される前の、前記成分キャリアの最後の電力制御調節状態と、前記成分キャリアが非活性化される前の、前記成分キャリアの最後の電力制御調節状態に基づく電力制御調節状態と、前記成分キャリアの以前の電力制御調節状態とは無関係な電力制御調節状態と、のうちの少なくとも１つを備える、発明１に記載の方法。
［発明６］
前記直近の電力制御パラメータ値は、前記成分キャリアの非活性化の持続期間に基づいて選択される、発明１に記載の方法。
［発明７］
前記成分キャリアは、二次成分キャリアを備える、発明１に記載の方法。
［発明８］
前記電力制御パラメータは、アップリンク・データ・チャネル、アップリンク制御チャネル、およびアップリンク基準チャネルのうちの少なくとも１つのためである、発明１に記載の方法。
［発明９］
前記非活性化された成分キャリアで、サウンディング基準信号（ＳＲＳ）を定期的に送信すること、をさらに備える発明１に記載の方法。
［発明１０］
外部ループ電力制御のための電力制御調節状態の設定を可能にするために、前記非活性化された成分キャリアの信号を定期的に測定すること、をさらに備える発明１に記載の方法。
［発明１１］
マルチキャリア・ユーザ機器（ＵＥ）であって、
前記ＵＥのために設定された成分キャリアが活性化状態にある場合、前記成分キャリアの少なくとも１つの電力制御パラメータを決定する手段と、
前記少なくとも１つの電力制御パラメータを決定した後に、前記成分キャリアを非活性化する手段と、
前記非活性化された成分キャリアのための再活性化コマンドに応じて、前記少なくとも１つの電力制御パラメータから、前記非活性化された成分キャリアのための直近の電力制御パラメータ値を選択する手段と、
前記ＵＥの電力制御調節状態を確立するために、前記選択された電力制御パラメータ値を適用する手段と、
前記確立された電力制御調節状態において、前記非活性化された成分キャリアを再活性化する手段と、を備えるユーザ機器。
［発明１２］
前記選択する手段は、前記少なくとも１つの電力制御パラメータ値をゼロに設定することによって、前記直近の電力制御パラメータ値を選択する、発明１１に記載のユーザ機器。
［発明１３］
前記選択する手段は、前記少なくとも１つの電力制御パラメータ値を、前記成分キャリアの非活性時に適用されていた最後の電力制御パラメータ値へ保留することによって選択する、発明１１に記載のユーザ機器。
［発明１４］
前記選択する手段は、前記少なくとも１つの電力制御パラメータの現在の値を、非活性化期間中に、設定されたスルー・レートで、前記現在の値から、インクリメント的に低減することによって選択する、発明１１に記載のユーザ機器。
［発明１５］
前記電力制御調節状態は、前記成分キャリアが非活性化される前の、前記成分キャリアの最後の電力制御調節状態と、前記成分キャリアが非活性化される前の、前記成分キャリアの最後の電力制御調節状態に基づく電力制御調節状態と、前記成分キャリアの以前の電力制御調節状態とは無関係な電力制御調節状態と、のうちの少なくとも１つを備える、発明１１に記載のユーザ機器。
［発明１６］
前記直近の電力制御パラメータ値は、前記成分キャリアの非活性化の持続期間に基づいて選択される、発明１１に記載のユーザ機器。
［発明１７］
前記成分キャリアは、二次成分キャリアを備える、発明１１に記載のユーザ機器。
［発明１８］
前記電力制御パラメータは、アップリンク・データ・チャネル、アップリンク制御チャネル、およびアップリンク基準チャネルのうちの少なくとも１つのためである、発明１１に記載のユーザ機器。
［発明１９］
前記非活性化された成分キャリアで、サウンディング基準信号（ＳＲＳ）を定期的に送信する手段、をさらに備える発明１１に記載のユーザ機器。
［発明２０］
外部ループ電力制御のための電力制御調節状態の設定を可能にするために、前記非活性化された成分キャリアの信号を定期的に測定する手段、をさらに備える発明１１に記載のユーザ機器。
［発明２１］
マルチキャリア・ユーザ機器（ＵＥ）のためのコンピュータ・プログラム製品であって、
記録された非一時的なプログラム・コードを有する非一時的なコンピュータ読取可能な媒体を備え、
前記プログラム・コードは、
前記ＵＥのために設定された成分キャリアが活性化状態にある場合、前記成分キャリアの少なくとも１つの電力制御パラメータを決定するためのプログラム・コードと、
前記少なくとも１つの電力制御パラメータを決定した後に、前記成分キャリアを非活性化するためのプログラム・コードと、
前記非活性化された成分キャリアのための再活性化コマンドに応じて、前記少なくとも１つの電力制御パラメータから、前記非活性化された成分キャリアのための直近の電力制御パラメータ値を選択するためのプログラム・コードと、
前記ＵＥの電力制御調節状態を確立するために、前記選択された電力制御パラメータ値を適用するためのプログラム・コードと、
前記確立された電力制御調節状態において、前記非活性化された成分キャリアを再活性化するためのプログラム・コードとを備える、コンピュータ・プログラム製品。
［発明２２］
前記選択するためのプログラム・コードは、前記少なくとも１つの電力制御パラメータ値をゼロに設定することによって選択する、発明２１に記載のコンピュータ・プログラム製品。
［発明２３］
前記選択するためのプログラム・コードは、前記少なくとも１つの電力制御パラメータ値を、前記成分キャリアの非活性時に適用されていた最後の電力制御パラメータ値へ保留することによって選択する、発明２１に記載のコンピュータ・プログラム製品。
［発明２４］
前記選択するためのプログラム・コードは、前記少なくとも１つの電力制御パラメータの現在の値を、非活性化期間中に、設定されたスルー・レートで、前記現在の値から、インクリメント的に低減することによって選択する、発明２１に記載のコンピュータ・プログラム製品。
［発明２５］
前記電力制御調節状態は、前記成分キャリアが非活性化される前の、前記成分キャリアの最後の電力制御調節状態と、前記成分キャリアが非活性化される前の、前記成分キャリアの最後の電力制御調節状態に基づく電力制御調節状態と、前記成分キャリアの以前の電力制御調節状態とは無関係な電力制御調節状態とのうちの少なくとも１つを備える、発明２１に記載のコンピュータ・プログラム製品。
［発明２６］
前記直近の電力制御パラメータ値は、前記成分キャリアの非活性化の持続期間に基づいて選択される、発明２１に記載のコンピュータ・プログラム製品。
［発明２７］
前記成分キャリアは、二次成分キャリアを備える、発明２１に記載のコンピュータ・プログラム製品。
［発明２８］
前記電力制御パラメータは、アップリンク・データ・チャネル、アップリンク制御チャネル、およびアップリンク基準チャネルのうちの少なくとも１つのためである、発明２１に記載のコンピュータ・プログラム製品。
［発明２９］
前記非活性化された成分キャリアで、サウンディング基準信号（ＳＲＳ）を定期的に送信するためのプログラム・コードを更に備える、発明２１に記載のコンピュータ・プログラム製品。
［発明３０］
外部ループ電力制御のための電力制御調節状態の設定を可能にするために、前記非活性化された成分キャリアの信号を定期的に測定するためのプログラム・コードを更に備える、発明２１に記載のコンピュータ・プログラム製品。
［発明３１］
マルチキャリア・ユーザ機器（ＵＥ）であって、
メモリと、
前記ＵＥのために設定された成分キャリアが活性化状態にある場合、前記成分キャリアの少なくとも１つの電力制御パラメータを決定し、
前記少なくとも１つの電力制御パラメータを決定した後に、前記成分キャリアを非活性化し、
前記非活性化された成分キャリアのための再活性化コマンドに応じて、前記少なくとも１つの電力制御パラメータから、前記非活性化された成分キャリアのための直近の電力制御パラメータ値を選択し、
前記ＵＥの電力制御調節状態を確立するために、前記選択された電力制御パラメータ値を適用し、
前記確立された電力制御調節状態において、前記非活性化された成分キャリアを再活性化するように構成された、前記メモリに接続された少なくとも１つのプロセッサと、を備えるユーザ機器。
［発明３２］
前記少なくとも１つのプロセッサは、前記少なくとも１つの電力制御パラメータ値をゼロに設定することによって選択する、発明３１に記載のユーザ機器。
［発明３３］
前記少なくとも１つのプロセッサは、前記少なくとも１つの電力制御パラメータ値を、前記成分キャリアの非活性時に適用されていた最後の電力制御パラメータ値へ保留することによって選択する、発明３１に記載のユーザ機器。
［発明３４］
前記少なくとも１つのプロセッサは、前記少なくとも１つの電力制御パラメータの現在の値を、非活性化期間中に、設定されたスルー・レートで、前記現在の値から、インクリメント的に低減することによって選択する、発明３１に記載のユーザ機器。
［発明３５］
前記電力制御調節状態は、前記成分キャリアが非活性化される前の、前記成分キャリアの最後の電力制御調節状態と、前記成分キャリアが非活性化される前の、前記成分キャリアの最後の電力制御調節状態に基づく電力制御調節状態と、前記成分キャリアの以前の電力制御調節状態とは無関係な電力制御調節状態と、のうちの少なくとも１つを備える、発明３１に記載のユーザ機器。
［発明３６］
前記直近の電力制御パラメータ値は、前記成分キャリアの非活性化の持続期間に基づいて選択される、発明３１に記載のユーザ機器。
［発明３７］
前記成分キャリアは、二次成分キャリアを備える、発明３１に記載のユーザ機器。
［発明３８］
前記電力制御パラメータは、アップリンク・データ・チャネル、アップリンク制御チャネル、およびアップリンク基準チャネルのうちの少なくとも１つのためである、発明３１に記載のユーザ機器。
［発明３９］
前記少なくとも１つのプロセッサはさらに、前記非活性化された成分キャリアで、サウンディング基準信号（ＳＲＳ）を定期的に送信するように構成された、発明３１に記載のユーザ機器。
［発明４０］
前記少なくとも１つのプロセッサはさらに、外部ループ電力制御のための電力制御調節状態の設定を可能にするために、前記非活性化された成分キャリアの信号を定期的に測定するように構成された、発明３１に記載のユーザ機器。
【図１】
0005882331.tif 000002
【図２】
0005882331.tif 000003
【図３】
0005882331.tif 000004
【図４】
0005882331.tif 000005
【図５Ａ】
0005882331.tif 000006
【図５Ｂ】
0005882331.tif 000007
【図６】
0005882331.tif 000008
【図７】
0005882331.tif 000009
【図８】
0005882331.tif 000010
【図９】
0005882331.tif 000011
【図１０】
0005882331.tif 000012
【図１１】
0005882331.tif 000013